(57)【要約】【課題】ＳＰが目的階の状況を確認してから、ＶＩＰが乗車したかごを戸開動作させることが可能なエレベータ装置を得る。【解決手段】この発明に係るエレベータ装置は、エレベータ後発かご４と、エレベータ後発かご４よりも先にエレベータ後発かご４と共通の目的階に向けて出発するエレベータ先発かごと６、目的階の乗場に設置された乗場ボタン７と、エレベータ後発かご４およびエレベータ先発かご６の運行を制御するとともに、乗場ボタン７の操作信号が入力されるエレベータ制御装置１０とを備えている。エレベータ制御装置１０は、エレベータ後発かご４を、エレベータ先発かご６よりも先に目的階に到着させて戸開させた後、乗場ボタン７の操作信号の入力が検出された場合に、エレベータ先発かご６を戸開させる。【選択図】図１
2005231759.tif 000002
【特許請求の範囲】
【請求項１】
第１のエレベータかごと、
前記第１のエレベータかごと目的階を共通とする第２のエレベータかごと、
前記目的階の乗場に設置され、前記第２のエレベータかごを戸開するための乗場側操作手段と、
前記第１のエレベータかごおよび第２のエレベータかごの運行を制御するとともに、前記乗場側操作手段の操作信号が入力されるエレベータ制御装置とを備え、
前記エレベータ制御装置は、前記第１のエレベータかごを、前記第２のエレベータかごよりも先に前記目的階で戸開させた後、前記乗場側操作手段の操作信号の入力が検出された場合に、前記第２のエレベータかごを前記目的階で戸開させることを特徴とするエレベータ装置。
【請求項２】
前記第２のエレベータかご内には、前記目的階の状況確認がされた旨を表示させる表示手段と、前記第２のエレベータかごを戸開するための操作信号を前記エレベータ制御装置に出力するかご内操作手段とが設置されており、
前記エレベータ制御装置は、前記乗場側操作手段の操作信号の入力が検出された場合に、前記表示手段に前記目的階の状況確認がされた旨を表示させ、その後前記かご内操作手段の操作信号の入力が検出された場合に、前記第２のエレベータかごを戸開させることを特徴とする請求項１に記載のエレベータ装置。
【請求項３】
前記第１のエレベータかごは、警護者（ＳＰ）が乗車するためのものであり、前記第２のエレベータかごは、ＶＩＰ（very important person）が乗車するためのものであることを特徴とする請求項１または２に記載のエレベータ装置。
【発明の詳細な説明】
【技術分野】
【０００１】
この発明は、例えば、ＶＩＰ（very important person）専用としてサービスを行うエレベータのＶＩＰ運転を実施するエレベータ装置に関するものである。
【背景技術】
【０００２】
従来のエレベータ装置は、ＶＩＰ運転において、ＶＩＰ呼びが登録されることにより２台のエレベータをＶＩＰ階に呼び戻し、ＶＩＰが先発エレベータで出発した場合に、先発エレベータを減速させて、警護者（以下ＳＰと略称する）が乗車した後発エレベータを目的階に先に到着させる。その後、先発エレベータが目的階に到着して自動的に戸開する。
この従来のエレベータ装置により、ＳＰが、先発エレベータに乗車したＶＩＰよりも先に目的階に到着することができるものである（例えば、特許文献１参照）。
【０００３】
【特許文献１】特開平６−２１１４４６号公報（第３−５頁、第２図）
【発明の開示】
【発明が解決しようとする課題】
【０００４】
しかし、従来のエレベータ装置によれば、ＳＰがＶＩＰよりも先に目的階に到着してＶＩＰを出迎えることができるが、ＳＰが目的階の状況を確認できない状態でも、目的階にＶＩＰの乗車したエレベータかごが到着すると、このエレベータかごが自動的に戸開してしまうという問題点があった。
【０００５】
この発明は、上記のような問題点を解決することを課題とするものであって、第１のエレベータかごが目的階に到着し戸開した後、第１のエレベータかごの乗客が目的階の状況を確認してから、後着した第２のエレベータかごを戸開動作させることが可能なエレベータ装置を得ることを目的とする。
【課題を解決するための手段】
【０００６】
この発明に係るエレベータ装置は、第１のエレベータかごと、第１のエレベータかごと目的階を共通とする第２のエレベータかごと、目的階の乗場に設置され、第２のエレベータかごを戸開するための乗場側操作手段と、第１のエレベータかごおよび第２のエレベータかごの運行を制御するとともに、乗場側操作手段の操作信号が入力されるエレベータ制御装置とを備え、エレベータ制御装置は、第１のエレベータかごを、第２のエレベータかごよりも先に目的階で戸開させた後、乗場側操作手段の操作信号の入力が検出された場合に、第２のエレベータかごを目的階で戸開させることを特徴とする。
【発明の効果】
【０００７】
この発明に係るエレベータ装置によれば、エレベータ制御装置は、第１のエレベータかごを、第２のエレベータかごよりも先に目的階に到着させて戸開させた後、目的階の乗場に設置された乗場側操作手段の操作信号の入力が検出された場合に、第２のエレベータかごを戸開させるので、第１のエレベータの乗客が目的階の状況を確認してから、第２のエレベータかごを戸開動作させることができる効果がある。
【発明を実施するための最良の形態】
【０００８】
以下、この発明の各実施の形態について図に基づいて説明するが、各図において、同一または相当部材、部位については同一符号を付して説明する。
【０００９】
実施の形態１．
この発明の実施の形態１のエレベータ装置について、図に基づいて説明する。図１は、この発明の実施の形態１に係るエレベータ装置を示すブロック図である。
【００１０】
図１に示すように、この発明の実施の形態１に係るエレベータ装置は、ＶＩＰ（very important person）呼びを登録するためのＶＩＰ呼び登録装置１と、このＶＩＰ呼び登録装置１の出力信号に基づいて、２台のエレベータをＶＩＰ階に呼び戻すための信号を出力するエレベータ群管理制御装置２と、このエレベータ郡管理制御装置２の出力信号に基づいて、エレベータかごを制御する第１のエレベータ制御部３及び第２のエレベータ制御部５を有するエレベータ制御装置１０と、第１のエレベータ制御部３により運行が制御され、警護者であるＳＰが乗車する第１のエレベータかごであるエレベータ後発かご４と、第２のエレベータ制御部５に運行によりが制御され、ＶＩＰが乗車する第２のエレベータかごであるエレベータ先発かご６と、ＳＰおよびＶＩＰが降車する目的階に設置され、エレベータ先発かご６を戸開するための乗場側操作手段である乗場ボタン７とを備えている。
【００１１】
次に、上記構成のエレベータの制御方法について説明する。図２に、図１のエレベータ装置のＶＩＰ運転における制御動作を示すフローチャートを示す。エレベータの制御方法は、以下のステップＳ１〜Ｓ５で構成されている。
【００１２】
先ず、ＶＩＰ呼びがＶＩＰ呼び登録装置１で登録されることにより、ＶＩＰ専用としてサービスを行うＶＩＰ運転が開始される。
【００１３】
このＶＩＰ呼び登録装置１の出力信号に基づいて、エレベータ群管理制御装置２は、２台のエレベータをＶＩＰ階に呼び戻すための信号を第１のエレベータ制御部３および第２のエレベータ制御部５に出力する。この出力信号に基づいて、第１のエレベータ制御部３および第２のエレベータ制御部５は、エレベータ後発かご４と、エレベータ先発かご６とをＳＰおよびＶＩＰが居るＶＩＰ階に呼び戻す。
【００１４】
そして、第２のエレベータ制御装置５は、ＶＩＰがエレベータ先発かご６に乗車した後、エレベータ先発かご６を目的階に向けて出発させる。その後、ＳＰは、エレベータ先発かご６が目的階に向けて出発するのを確認すると、エレベータ後発かご４に乗車する。第１のエレベータ制御部３は、ＳＰがエレベータ後発かご４に乗車した後、エレベータ先発かご６を目的階に向けて出発させる。
【００１５】
エレベータ群管理制御装置２は、エレベータ後発かご４が目的階に先着するように、エレベータ先発かご６の速度を減速制御する指令を、第２のエレベータ制御部５に出力する。すなわち、第２のエレベータ制御部５にエレベータ先発かご６を減速させて、エレベータ後発かご４にエレベータ先発かご６を追い抜かせるものである。
【００１６】
エレベータ後発かご４の目的階に到着後、エレベータ後発かご４が戸開される。ここで、ＳＰがエレベータ後発かご４から降車する。
【００１７】
以上のようにして、エレベータ後発かご４が、エレベータ先発かご６よりも先に目的階に到着し、戸開される（ステップＳ１）。
【００１８】
このステップＳ１の後、第２のエレベータ制御部５の制御によりエレベータ先発かご６が目的階に到着する（ステップＳ２）。
【００１９】
エレベータ先発かご６が目的階に到着した後、第２のエレベータ制御部５により、目的階の乗場ボタン７が操作されたかが確認される（ステップＳ３）。すなわち、第２のエレベータ制御部５は、エレベータ先発かご６が目的階に到着した後、乗場ボタン７の操作信号の入力の有無を検出する。
【００２０】
ここで、目的階に先着したエレベータ後発かご４を降車したＳＰは、目的階の状況（安全性等）を確認し、確認が完了すると乗場ボタン７を操作する。すなわち、上述のように第２のエレベータ制御部５により乗場ボタン７の操作信号の入力の有無が確認されることにより、目的階の状況確認が完了したか否かが確認されるものである。
【００２１】
第２のエレベータ制御部５は、乗場ボタン７が操作された場合には、エレベータ先発かご６を戸開する（ステップＳ４）。すなわち、第２のエレベータ制御部５は、乗場ボタン７の操作信号の入力を検出すると、エレベータ先発かご６に制御信号を出力して、エレベータ先発かご６を戸開させる。
【００２２】
なお、乗場ボタン７がＳＰにより操作されるまで、すなわち、第２のエレベータ制御部５が乗場ボタン７の操作信号の入力を検出するまでは、そのままエレベータ先発かご６では戸閉状態が継続される。
【００２３】
ステップＳ４で、エレベータ先発かご６の戸開が完了した後、ＶＩＰ運転が終了する。
【００２４】
以上のように、この実施の形態１のエレベータ装置によれば、ＳＰが目的階の状況を確認してから、ＶＩＰが乗車したエレベータ先発かご６を戸開動作させることができる。
【００２５】
実施の形態２．
次に、この発明の実施の形態２のエレベータ装置について、図に基づいて説明する。
【００２６】
図３は、この発明の実施の形態２に係るエレベータ装置を示すブロック図である。この実施の形態では、実施の形態１のものと比較して、さらに、エレベータ先発かご６内には、目的階の状況確認がされた旨を表示させる表示手段である確認灯８と、この確認灯８の表示を確認したエレベータ先発かご６の乗客であるＶＩＰの操作に基づいて、エレベータ先発かごを戸開するための信号を第２のエレベータ制御部５に出力するかご内操作手段であるかご内戸開ボタン９とが備えられている。
【００２７】
図４は、図３のエレベータの運転制御装置のＶＩＰ運転における制御動作を示すフローチャートである。なお、図４において、ステップＳ１〜Ｓ３までは、実施の形態１と同様であり、目的階の乗場ボタン７がＳＰにより操作された後のステップが異なる。
【００２８】
第２のエレベータ制御部５は、乗場ボタン７が操作された場合には、確認灯８を点灯し、目的階の状況確認がされたことをエレベータ先発かご６内に表示して、乗客であるＶＩＰに知らせる（ステップＳ６）。
すなわち、第２のエレベータ制御部５は、乗場ボタン７の操作信号の入力を検出すると、エレベータ先発かご６に制御信号を出力して、確認灯８を点灯させる。
【００２９】
なお、乗場ボタン７がＳＰにより操作されるまで、すなわち、第２のエレベータ制御部５が乗場ボタン７の操作信号の入力を検出するまでは、そのまま確認灯８の非点灯状態が継続される。
【００３０】
確認灯８を点灯した後、第２のエレベータ制御部５により、かご内戸開ボタン９が乗客により操作されたかが確認される（ステップＳ７）。すなわち、第２のエレベータ制御部５は、確認灯８を点灯した後、かご内戸開ボタン９の操作信号の入力の有無を検出する。
ここで、エレベータ先発かご６の乗客は、確認灯８の点灯を確認し、確認が完了するとかご内戸開ボタン９を操作する。すなわち、上述のように第２のエレベータ制御部５によりかご内戸開ボタン９の操作信号の入力の有無が確認されることにより、確認灯８の点灯確認が完了したか否かが確認されるものである。
【００３１】
かご内戸開ボタン９が乗客により操作された場合には、エレベータ先発かご６を戸開する（ステップＳ８）。すなわち、第２のエレベータ制御部５は、かご内戸開ボタン９の操作信号の入力を検出すると、エレベータ先発かご６に制御信号を出力して、エレベータ先発かご６を戸開させる。
【００３２】
なお、かご内戸開ボタン９が乗客により操作されるまで、すなわち、第２のエレベータ制御部５がかご内戸開ボタン９の操作信号の入力を検出するまでは、そのままエレベータ先発かご６では戸閉状態が継続される。
【００３３】
ステップＳ８で、エレベータ先発かご６の戸開が完了した後、ＶＩＰ運転が終了する。
【００３４】
以上のように、この実施の形態２のエレベータ装置によれば、エレベータ先発かご６の乗客が降車準備をしてから、ＶＩＰが乗車したエレベータ先発かご６を戸開動作させることができる。したがって、セキュリティーを強化し、ＶＩＰに安心を与えることができる。
【００３５】
以上の各実施の形態では、ＶＩＰが乗車したエレベータ先発かご６が、ＳＰが乗車したエレベータ後発かご４よりも後に目的階に到着した場合について説明したが、ＳＰが乗車したエレベータかごが、ＶＩＰが乗車したエレベータかごよりも後に目的階に到着した場合でも、ＳＰが乗車したエレベータかごを先に戸開動作させることにより、同様に適用されるのは勿論である。
【図面の簡単な説明】
【００３６】
【図１】この発明の実施の形態１によるエレベータ装置を示すブロック図である。
【図２】図１のエレベータ装置のＶＩＰ運転における制御動作を示すフローチャートである。
【図３】この発明の実施の形態２によるエレベータ装置を示すブロック図である。
【図４】図３のエレベータ装置のＶＩＰ運転における制御動作を示すフローチャートである。
【符号の説明】
【００３７】
３  第１のエレベータ制御部、４  エレベータ後発かご、５  第２のエレベータ制御部、６  エレベータ先発かご、７  乗場ボタン（乗場側操作手段）、１０  エレベータ制御装置。
【図１】
2005231759.tif 000003
【図２】
2005231759.tif 000004
【図３】
2005231759.tif 000005
【図４】
2005231759.tif 000006